(57)【要約】    【課題】  優れた動画表示特性を有するとともに、均一な面内表示特性を有するプロジェクタを提供する。    【解決手段】  液晶装置４００Ｒ，４００Ｇ，４００Ｂと、投写光学系６００と、光源装置１１０、複数の第１小レンズ１２２を有する第１レンズアレイ１２０、第２レンズアレイ１３０及び重畳レンズ１５０を有し、液晶装置の画像形成領域におけるｘ軸方向については画像形成領域の全体を、ｙ軸方向については画像形成領域の一部を照明するような、ｙ軸方向に圧縮された断面形状を有する照明光束を射出するために、第１小レンズがｙ軸方向に圧縮された平面形状を有する照明装置１００と、照明装置からの照明光束を、液晶装置の画像形成領域におけるｙ軸方向に沿って走査する回転プリズム７７０とを備えるプロジェクタ１０００において、第１レンズアレイ１２０における複数の第１小レンズ１２２は、ｘ軸方向に沿って奇数列に配列されていることを特徴とする。【選択図】  図１
2006308720.tif 000002
【特許請求の範囲】
【請求項１】
照明光束を画像情報に応じて変調する電気光学変調装置と、
前記電気光学変調装置により変調された光を投写する投写光学系と、
被照明領域側に照明光束を射出する光源装置、前記光源装置から射出される照明光束を複数の部分光束に分割するための複数の第１小レンズを有する第１レンズアレイ、前記複数の第１小レンズに対応する複数の第２小レンズを有する第２レンズアレイ及び前記第２レンズアレイから射出される部分光束を被照明領域で重畳させるための重畳レンズを有し、前記電気光学変調装置の画像形成領域における一方方向については画像形成領域の全体を、他方方向については画像形成領域の一部を照明するような、前記他方方向に圧縮された断面形状を有する照明光束を射出するために、前記第１小レンズが前記他方方向に圧縮された平面形状を有する照明装置と、
前記照明装置からの照明光束を、前記電気光学変調装置の画像形成領域における前記他方方向に沿って走査する走査手段とを備えるプロジェクタにおいて、
前記第１レンズアレイにおける前記複数の第１小レンズは、一方方向に沿って奇数列に配列されていることを特徴とするプロジェクタ。
【請求項２】
請求項１に記載のプロジェクタにおいて、
前記第１レンズアレイにおける前記複数の第１小レンズは、一方方向に沿って３列に配列されていることを特徴とするプロジェクタ。
【請求項３】
請求項１又は２に記載のプロジェクタにおいて、
前記光源装置は、発光管と、前記発光管からの光を反射するリフレクタとを有し、
前記第１小レンズの一方方向に沿った幅は、
前記第１レンズアレイにおける前記複数の第１小レンズが形成される面に発生する前記発光管の影の一方方向に沿った幅と略同一であることを特徴とするプロジェクタ。
【請求項４】
請求項３に記載のプロジェクタにおいて、
前記発光管には、前記発光管から被照明領域側に射出される光を前記発光管に向けて反射する補助ミラーが設けられていることを特徴とするプロジェクタ。
【請求項５】
請求項１〜４のいずれかに記載のプロジェクタにおいて、
前記複数の第１小レンズ及び前記電気光学変調装置の画像形成領域と光学的に略共役な位置に配置され、照明光束の断面形状を整形するための遮光部材をさらに備えていることを特徴とするプロジェクタ。
【請求項６】
請求項１〜５のいずれかに記載のプロジェクタにおいて、
前記電気光学変調装置として、色分離導光光学系から射出される複数の色光をそれぞれの色光に対応する画像情報に応じて変調する複数の電気光学変調装置を備え、
前記走査手段と前記電気光学変調装置との間に配置され、前記走査手段からの照明光束を複数の色光に分離して前記複数の電気光学変調装置に導くための色分離導光光学系と、
前記複数の電気光学変調装置で変調されたそれぞれの色光を合成するクロスダイクロイックプリズムとをさらに備えることを特徴とするプロジェクタ。
【請求項７】
請求項１〜６のいずれかに記載のプロジェクタにおいて、
前記走査手段は、回転プリズムであることを特徴とするプロジェクタ。
【請求項８】
請求項１〜６のいずれかに記載のプロジェクタにおいて、
前記走査手段は、前記重畳レンズを前記他方方向に沿って移動させることにより、前記照明装置からの照明光束を、前記電気光学変調装置の画像形成領域における前記他方方向に沿って走査する走査手段であることを特徴とするプロジェクタ。
【発明の詳細な説明】
【技術分野】
【０００１】
本発明は、プロジェクタに関する。
【背景技術】
【０００２】
光源装置からの光を複数の部分光束に分割して被照明領域で重畳させる従来のインテグレータ光学系（光均一化光学系）の原理を利用して、電気光学変調装置の画像形成領域に対して断面積の小さい圧縮光束を生成し、電気光学変調装置の画像形成領域上でそのような圧縮光束を走査することにより、動画表示特性を改善したプロジェクタが知られている（例えば、特許文献１参照。）。
【０００３】
従来のプロジェクタによれば、電気光学変調装置の画像形成領域におけるいずれの点に着目しても間欠的に光が遮断されるようになるため、ホールド型の表示装置である電気光学変調装置の動画表示特性が改善され、優れた動画表示特性を有するようになる。
【０００４】
【特許文献１】特開２００４−３２６１０１号公報
【発明の開示】
【発明が解決しようとする課題】
【０００５】
ところで、従来のプロジェクタにおいては、発光管から放射されてリフレクタで反射される光の一部が発光管自身（管球部又は封止部）によって遮られてしまうことがある。このことは、発光管が高輝度化用の超高圧水銀灯である場合には特に顕著となる。この場合には、第１レンズアレイ上における照明光束の中央部分に影（以下、発光管の影という。）が発生してしまい、第１レンズアレイの中央部に形成される第１小レンズについて見ると、発光管の影が第１小レンズ間に跨って発生することとなる。その結果、第１レンズアレイの中央部に形成される第１小レンズの片側端部には影がかかり他方の片側端部には光が入射するといったように、第１小レンズ内の照度が大きく異なることとなり、第１レンズアレイ、第２レンズアレイ及び重畳レンズを有する光均一化光学系をもってしても、電気光学変調装置の画像形成領域上における面内照度分布を完全に均一化することは容易ではない。特に、上記のように動画表示表示特性を改善するために画像形成領域に対して断面積の小さい圧縮光束を生成するプロジェクタ、例えば「長辺：短辺＝４：１．５の長方形」のような長辺と短辺との比率が大きく異なる平面形状を有する第１小レンズを用いるプロジェクタの場合には、上記した発光管の影によって、画像形成領域上で照度差が生じやすく、投写面上で均一な面内表示特性を得ることは容易ではない。
【０００６】
そこで、本発明は、優れた動画表示特性を有するとともに、均一な面内表示特性を有するプロジェクタを提供することを目的とする。
【課題を解決するための手段】
【０００７】
本発明者は、上述した目的を達成すべく鋭意努力を重ねた結果、第１レンズアレイの一方方向（ｘ軸方向）に沿った配列を奇数列にするという極めて簡単な方法により、投写面上で均一な面内表示特性を得られることを見出し、本発明を完成させるに至った。
【０００８】
すなわち、本発明のプロジェクタは、照明光束を画像情報に応じて変調する電気光学変調装置と、前記電気光学変調装置により変調された光を投写する投写光学系と、被照明領域側に照明光束を射出する光源装置、前記光源装置から射出される照明光束を複数の部分光束に分割するための複数の第１小レンズを有する第１レンズアレイ、前記複数の第１小レンズに対応する複数の第２小レンズを有する第２レンズアレイ及び前記第２レンズアレイから射出される部分光束を被照明領域で重畳させるための重畳レンズを有し、前記電気光学変調装置の画像形成領域における一方方向については画像形成領域の全体を、他方方向については画像形成領域の一部を照明するような、前記他方方向に圧縮された断面形状を有する照明光束を射出するために、前記第１小レンズが前記他方方向に圧縮された平面形状を有する照明装置と、前記照明装置からの照明光束を、前記電気光学変調装置の画像形成領域における前記他方方向に沿って走査する走査手段とを備えるプロジェクタにおいて、前記第１レンズアレイにおける前記複数の第１小レンズは、一方方向に沿って奇数列に配列されていることを特徴とする。
【０００９】
このため、本発明のプロジェクタによれば、照明装置から射出される圧縮光束が、走査手段の機能によって、電気光学変調装置の画像形成領域上で他方方向に沿って走査されるようになる。その結果、電気光学変調装置の画像形成領域におけるいずれの点に着目しても間欠的に光が遮断されるようになるため、動画表示特性が改善され、優れた動画表示特性を有するようになる。
【００１０】
ところで、従来のプロジェクタのように、第１レンズアレイにおける複数の第１小レンズが一方方向に沿って偶数列に配列されているプロジェクタの場合（特許文献１の図２参照。）には、上記した発光管の影は、一方方向について見たときに第１小レンズ間に跨って発生することとなる（後述する図３（ｂ）参照。）。このため、第１レンズアレイの中央部分に形成された第１小レンズについて見ると、第１小レンズの片側端部のみに影がかかってしまうため、第１レンズアレイ、第２レンズアレイ及び重畳レンズを有する光均一化光学系をもってしても、電気光学変調装置の画像形成領域上における面内照度分布を完全に均一化することは容易ではない。その結果、電気光学変調装置の画像形成領域上に照度差（一方方向（ｘ軸方向）両端部における照度が一方方向（ｘ軸方向）中央部における照度よりも低くなる。）が発生してしまい（後述する図４参照。）、投写面上で均一な面内表示特性を得ることは容易ではない（後述する図５参照。）。
【００１１】
これに対し、本発明のプロジェクタによれば、第１レンズアレイにおける複数の第１小レンズは、一方方向に沿って奇数列に配列されているため、上記した発光管の影は、一方方向について見たときに第１レンズアレイの中央部分に形成された第１小レンズに発生することとなる（後述する図６（ｂ）参照。）。このため、第１レンズアレイの中央部分に形成された第１小レンズについて見ると、影がかかってしまう領域を第１小レンズ全体にわたって分布させることが可能となるため、第１小レンズの片側端部のみが暗くなってしまうことがなくなる。その結果、電気光学変調装置の画像形成領域上における面内照度分布を均一化することが容易となるため、電気光学変調装置の画像形成領域上で発生する照度差の発生を抑制することができるようになり、投写面上で均一な面内表示特性を得ることが可能となる。
【００１２】
このため、本発明のプロジェクタは、優れた動画表示特性を有するとともに、均一な面内表示特性を有するプロジェクタとなる。
【００１３】
本発明のプロジェクタにおいては、前記第１レンズアレイにおける前記複数の第１小レンズは、一方方向に沿って５列に配列されていることも好ましいが、一方方向に沿って３列に配列されていることがより好ましい。
【００１４】
このように構成することにより、一方方向に沿った第１小レンズの幅を上記した発光管の影の大きさに対応した幅にして、影がかかってしまう領域を第１小レンズ全体にわたって分布させることが容易となる。このため、電気光学変調装置の画像形成領域上で発生する照度差の発生をさらに抑制することができるようになり、投写面上でさらに均一な面内表示特性を得ることが可能となる。
【００１５】
また、上記のように構成することにより、第１レンズアレイ上に形成される第１小レンズの個数を少なくすることができるため、第１レンズアレイの製造を容易にすることができる。また、第１レンズアレイにおける複数の第１小レンズが一方方向に沿って３列に配列されているため、第１小レンズの大きさをある程度以上の大きさにすることができる。このため、第１レンズアレイにおける複数の第１小レンズの他方方向に沿った辺の長さが極端に短くなることがなくなる。その結果、第１レンズアレイの各第１小レンズの像が、対応する第２レンズアレイの各第２小レンズに良好にのみ込まれるようになり、良好な光利用効率が得られるようになる。
【００１６】
本発明のプロジェクタにおいては、前記光源装置は、発光管と、前記発光管からの光を反射するリフレクタとを有し、前記第１小レンズの一方方向に沿った幅は、前記第１レンズアレイにおける前記複数の第１小レンズが形成される面に発生する前記発光管の影の一方方向に沿った幅と略同一であることが好ましい。
【００１７】
このように構成することにより、影がかかってしまう領域が第１小レンズ全体にわたって分布するようになる。このため、電気光学変調装置の画像形成領域上で発生する照度差の発生をさらに抑制することができるようになり、投写面上でさらに均一な面内表示特性を得ることが可能となる。
【００１８】
本発明のプロジェクタにおいては、前記発光管には、前記発光管から被照明領域側に射出される光を前記発光管に向けて反射する補助ミラーが設けられていることが好ましい。
【００１９】
このように構成することにより、発光管から被照明領域側に放射される光が補助ミラーにより発光管に向けて反射されるため、発光管の被照明領域側端部まで覆うような大きさにリフレクタの大きさを設定することを必要とせず、リフレクタの小型化を図ることができ、プロジェクタの小型化を図ることができるという効果がある。
【００２０】
ところで、発光管に補助ミラーが設けられたプロジェクタにおいては、発光管から放射されてリフレクタで反射される光の一部は補助ミラーによっても遮られてしまい、電気光学変調装置の画像形成領域上における面内照度分布を均一化することはさらに容易ではない。その結果、画像形成領域上で、一方方向両端部における照度が一方方向中央部における照度よりもさらに低くなり、ひいては、投写面上で均一な面内表示特性を得ることがさらに容易ではなくなってしまう。
【００２１】
しかしながら、本発明のプロジェクタによれば、上記したように、第１レンズアレイにおける複数の第１小レンズは、一方方向に沿って奇数列に配列されているため、上記したように、電気光学変調装置の画像形成領域上における照度差の発生を抑制することができる。このため、発光管に補助ミラーが設けられたプロジェクタにおいても、投写面上で均一な面内表示特性が得られるようになる。
【００２２】
本発明のプロジェクタにおいては、前記複数の第１小レンズ及び前記電気光学変調装置の画像形成領域と光学的に略共役な位置に配置され、照明光束の断面形状を整形するための遮光部材をさらに備えていることが好ましい。
【００２３】
このように構成することにより、上記した遮光部材の働きによって、遮光部材から射出される照明光束の断面形状を、電気光学変調装置の画像形成領域に照射する照明光束の断面形状に正しく整形することが可能となる。
【００２４】
本発明のプロジェクタにおいては、前記電気光学変調装置として、色分離導光光学系から射出される複数の色光をそれぞれの色光に対応する画像情報に応じて変調する複数の電気光学変調装置を備え、前記走査手段と前記電気光学変調装置との間に配置され、前記走査手段からの照明光束を複数の色光に分離して前記複数の電気光学変調装置に導くための色分離導光光学系と、前記複数の電気光学変調装置で変調されたそれぞれの色光を合成するクロスダイクロイックプリズムとをさらに備えることを特徴とする。
【００２５】
このように構成することにより、優れた動画表示特性を有するとともに、均一な面内表示特性を有するプロジェクタを、画像品質の優れた（例えば３板式の）フルカラープロジェクタとすることができるようになる。
【００２６】
本発明のプロジェクタにおいては、前記走査手段は、回転プリズムであることが好ましい。
【００２７】
このように構成することにより、電気光学変調装置の画像形成領域上において上記した圧縮光束の円滑なスクロール動作が、容易に実現できるようになる。
【００２８】
本発明のプロジェクタにおいては、前記回転プリズムの光透過面には減反射膜が形成されていることが好ましい。
【００２９】
このように構成することにより、回転プリズムの光透過率を高めることができ、光利用効率の低下を最小限のものにすることができるとともに、迷光レベルが低減しコントラストが向上する。
【００３０】
本発明のプロジェクタにおいては、前記走査手段は、前記重畳レンズを前記他方方向に沿って移動させることにより、前記照明装置からの照明光束を、前記電気光学変調装置の画像形成領域における前記他方方向に沿って走査する走査手段であることが好ましい。
【００３１】
このように構成することにより、電気光学変調装置の画像形成領域上において上記した圧縮光束のスクロール動作を実現するために既存の重畳レンズを利用することができるため、装置の部品点数を削減するとともにプロジェクタの小型化を図ることができる。
【００３２】
本発明のプロジェクタにおいては、前記照明装置は、前記第２レンズアレイと前記重畳レンズとの間に配置され、前記第２レンズアレイから射出される部分光束に含まれる偏光成分のうち一方の直線偏光成分をそのまま透過し他方の直線偏光成分を照明光軸に垂直な方向に反射する偏光分離層と、前記偏光分離層で反射された他方の直線偏光成分を前記照明光軸に平行な方向に反射する反射層と、前記偏光分離層を透過した一方の直線偏光成分と前記反射層で反射された他方の直線偏光成分とをいずれか一方の直線偏光成分に揃えるように偏光変換する位相差板とを有する偏光変換素子をさらに有することが好ましい。
【００３３】
このように構成することにより、偏光変換素子の作用により光源装置からの照明光束を一方の偏光軸を有する略１種類の直線偏光に変換することができるようになるため、電気光学変調装置として液晶装置等のように偏光光を利用するタイプの電気光学変調装置を用いる場合に適したものとなる。
【発明を実施するための最良の形態】
【００３４】
以下、本発明のプロジェクタについて、図に示す実施の形態に基づいて説明する。
【００３５】
〔実施形態１〕
図１は、実施形態１に係るプロジェクタ１０００を説明するために示す図である。図１（ａ）はプロジェクタ１０００の光学系を上面から見た図であり、図１（ｂ）はプロジェクタ１０００の光学系を側面から見た図であり、図１（ｃ）は第１レンズアレイ１２０の正面図であり、図１（ｄ）は遮光部材７８０の正面図である。
【００３６】
実施形態１に係るプロジェクタ１０００は、図１（ａ）及び図１（ｂ）に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの液晶装置４００Ｒ，４００Ｇ，４００Ｂと、これら３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００３７】
照明装置１００は、被照明領域側に略平行な照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２（図示せず。）を有する第２レンズアレイ１３０と、光源装置１１０から射出される偏光方向の揃っていない照明光束を略１種類の直線偏光に揃える偏光変換素子１４０と、偏光変換素子１４０から射出される各部分光束を被照明領域で重畳させるための重畳レンズ１５０とを有している。
【００３８】
光源装置１１０は、リフレクタとしての楕円面リフレクタ１１４と、楕円面リフレクタ１１４の第１焦点近傍に発光中心を有する発光管１１２と、楕円面リフレクタ１１４で反射される集束光を略平行な光に変換する平行化レンズ１１８とを有している。
【００３９】
発光管１１２は、管球部と、管球部の両側に延びる一対の封止部とを有している。
楕円面リフレクタ１１４は、発光管１１２の一方の封止部に挿通・固着される筒状の首状部と、発光管１１２から放射された光を第２焦点位置に向けて反射する反射凹面とを有している。
【００４０】
平行化レンズ１１８は、凹レンズからなり、楕円面リフレクタ１１４の被照明領域側に配置されている。そして、楕円面リフレクタ１１４からの光を略平行化するように構成されている。
【００４１】
第１レンズアレイ１２０は、平行化レンズ１１８からの光を複数の部分光束に分割する光束分割光学素子としての機能を有し、照明光軸１００ａｘと直交する面内にマトリクス状に配列される複数の第１小レンズ１２２を備えた構成を有している。第１小レンズ１２２は、図１（ｃ）に示すように、横方向に３列、縦方向に１０行に配置され、照明領域の形状と相似関係の「長辺：短辺＝４：１の長方形」の平面形状を有している。
すなわち、第１レンズアレイ１２０における第１小レンズ１２２は、照明装置１００から射出される照明光束を、液晶装置４００Ｒ，４００Ｇ，４００Ｂの画像形成領域Ｓにおける縦横方向のうち、ｘ軸方向に沿った横方向については画像形成領域Ｓの全体を、ｙ軸方向に沿った縦方向についてはその画像形成領域Ｓの約５０％を照明するような断面形状を有する圧縮光束Ｌ（図２（ｃ）参照。）とするように、縦方向（ｙ軸方向）に圧縮された「長辺：短辺＝４：１の長方形」の平面形状を有している。
なお、第１レンズアレイ１２０についての詳細は後述する。
【００４２】
第２レンズアレイ１３０は、上述した第１レンズアレイ１２０により分割された複数の部分光束を集光する光学素子であり、第１レンズアレイ１２０と同様に照明光軸１００ａｘに直交する面内にマトリクス状に配列される複数の第２小レンズ１３２（図示せず。）を備えた構成を有している。
【００４３】
偏光変換素子１４０は、第１レンズアレイ１２０により分割された各部分光束の偏光方向を、偏光方向の揃った略１種類の直線偏光光として射出する偏光変換素子である。
偏光変換素子１４０は、光源装置１１０からの照明光束に含まれる偏光成分のうち一方の直線偏光成分をそのまま透過し、他方の直線偏光成分を照明光軸１００ａｘに垂直な方向に反射する偏光分離層と、偏光分離層で反射された他方の直線偏光成分を照明光軸１００ａｘに平行な方向に反射する反射層と、反射層で反射された他方の直線偏光成分を一方の直線偏光成分に変換する位相差板とを有している。
【００４４】
重畳レンズ１５０は、第１レンズアレイ１２０、第２レンズアレイ１３０及び偏光変換素子１４０を経た複数の部分光束を、各第１小レンズ１２２及び液晶装置４００Ｒ，４００Ｇ，４００Ｂの画像形成領域Ｓと光学的に略共役な位置に重畳する光学素子である。
【００４５】
照明装置１００と色分離導光光学系２００との間の、各第１小レンズ１２２及び液晶装置４００Ｒ，４００Ｇ，４００Ｂの画像形成領域Ｓと光学的に略共役な位置には、遮光部材７８０が配置されている。遮光部材７８０は、図１（ｄ）に示すように、「ｘ軸方向に沿った横寸法：ｙ軸方向に沿った縦寸法＝４：１の長方形」の平面形状を有する開口部７８２を有している。これにより、遮光部材７８０から射出される照明光束の断面形状を、液晶装置４００Ｒ，４００Ｇ，４００Ｂの画像形成領域Ｓに照射する圧縮光束Ｌの断面形状に正しく整形することが可能となる。
【００４６】
照明装置１００から射出された照明光束は、回転プリズム７７０に入射する。走査手段としての回転プリズム７７０は、照明装置１００と液晶装置４００Ｒ，４００Ｇ，４００Ｂとの間に配置され、液晶装置４００Ｒ，４００Ｇ，４００Ｂの画面書込み周波数に同期して画像形成領域上で縦方向（ｙ軸方向）に沿って照明光束を走査する機能を有している。回転プリズム７７０の前後に配置されたフィールドレンズ７９０，７９２は、後述するリレーレンズ２４０，２４２に対して有効に光を入射させるために設けられている。
【００４７】
図２は、回転プリズム７７０の回転と液晶装置４００Ｒ，４００Ｇ，４００Ｂ上の照明状態との関係を示す図である。図２（ａ）は回転プリズム７７０を回転軸７７２に沿って見たときの断面図であり、図２（ｂ）は回転プリズム７７０を照明光軸１００ａｘに沿って見たときの図であり、図２（ｃ）は液晶装置４００Ｒ，４００Ｇ，４００Ｂの画像形成領域Ｓ上における圧縮光束Ｌの照明状態を示す図である。
【００４８】
回転プリズム７７０は、上記したように、液晶装置４００Ｒ，４００Ｇ，４００Ｂの画面書込み周波数に同期して液晶装置４００Ｒ，４００Ｇ，４００Ｂの画像形成領域Ｓにおけるｙ軸方向に沿って圧縮光束Ｌを走査する機能を有している。このため、照明光軸１００ａｘ上における第１小レンズ１２２の仮想中心点の像Ｐから射出される光は、図２（ａ）〜図２（ｃ）に示すように、回転プリズム７７０が回転すると、回転プリズム７７０の光透過面によって所定の屈折を受ける。その結果、液晶装置４００Ｒ，４００Ｇ，４００Ｂの画像形成領域Ｓにおいては、画面書込み走査に同期して、光照射領域と光非照射領域とが順次スクロールされるようになる。
【００４９】
このため、実施形態１に係るプロジェクタ１０００によれば、照明装置１００から射出される圧縮光束Ｌが、回転プリズム７７０によって、液晶装置４００Ｒ，４００Ｇ，４００Ｂの画像形成領域Ｓ上でｙ軸方向に沿って走査されるようになる。その結果、液晶装置４００Ｒ，４００Ｇ，４００Ｂの画像形成領域Ｓにおけるいずれの点に着目しても間欠的に光が遮断されるようになるため、動画表示特性が改善され、優れた動画表示特性を有するようになる。
【００５０】
色分離導光光学系２００は、図１（ａ）に示すように、ダイクロイックミラー２１０，２１４と、反射ミラー２１２，２１６，２１８，２２０，２２２と、リレーレンズ２４０，２４２とを有している。色分離導光光学系２００は、回転プリズム７７０から射出される照明光束を赤色光、緑色光及び青色光の３つの色光に分離して、それぞれの色光を照明対象となる液晶装置４００Ｒ，４００Ｇ，４００Ｂに導く機能を有している。色分離導光光学系２００としては、照明装置１００から液晶装置４００Ｒ，４００Ｇ，４００Ｂまでの光路の長さが等しい等光路光学系を用いている。
【００５１】
ダイクロイックミラー２１０は、回転プリズム７７０から射出される光のうち赤色光成分と緑色光成分とを透過させるとともに、青色光成分を反射する。ダイクロイックミラー２１０で反射された青色光成分は、反射ミラー２１８で反射され、リレーレンズ２４２を経て、反射ミラー２２０，２２２で反射された後、フィールドレンズ２４８を通過して青色光用の液晶装置４００Ｂに達する。一方ダイクロイックミラー２１０を透過した赤色光成分及び緑色光成分は、反射ミラー２１２で反射され、リレーレンズ２４０を通過する。ここで、リレーレンズ２４０から射出された赤色光成分及び緑色光成分のうち赤色光成分は、ダイクロイックミラー２１４を透過して、さらに反射ミラー２１６で反射されて、フィールドレンズ２４４を通過して赤色光用の液晶装置４００Ｒに達する。また、ダイクロイックミラー２１４で反射された緑色光成分は、さらに反射ミラー２１８で反射されて、フィールドレンズ２４６を通過して緑色光用の液晶装置４００Ｇに達する。なお、液晶装置４００Ｒ，４００Ｇ，４００Ｂの各色光の光路前段に設けられたフィールドレンズ２４４，２４６，２４８は、第２レンズアレイ１３０から射出された各部分光束を各主光線に対して略平行な光束に変換するために設けられている。
【００５２】
液晶装置４００Ｒ，４００Ｇ，４００Ｂは、照明光束を画像情報に応じて変調してカラー画像を形成するものであり、照明装置１００の照明対象となる。なお、図示を省略したが、フィールドレンズ２４４，２４６，２４８と各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、液晶装置４００Ｒ，４００Ｇ，４００Ｂ及び射出側偏光板によって、入射する各色光の光変調が行われる。
液晶装置４００Ｒ，４００Ｇ，４００Ｂは、一対の透明なガラス基板に電気光学物質である液晶を封入したものであり、例えば、ポリシリコンＴＦＴをスイッチング素子として、与えられた画像信号に従って、入射側偏光板から射出された１種類の直線偏光の偏光方向を変調する。
液晶装置４００Ｒ,４００Ｇ,４００Ｂとしては、画像形成領域Ｓが「長辺：短辺＝１６：９の長方形」の平面形状を有するワイドビジョン用の液晶装置を用いている。
【００５３】
クロスダイクロイックプリズム５００は、射出側偏光板から射出された各色光ごとに変調された光学像を合成して、カラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
クロスダイクロイックプリズム５００から射出されたカラー画像は、投写光学系６００によって拡大投写され、スクリーンＳＣＲ上で大画面画像を形成する。
【００５４】
実施形態１に係るプロジェクタ１０００は、第１レンズアレイ１２０の構成を特徴としている。以下、実施形態１における第１レンズアレイ１２０の構成と実施形態１の比較例における第１レンズアレイ１２０ａの構成とを比較して説明することにより、実施形態１に係るプロジェクタ１０００の効果を詳細に説明する。
【００５５】
図３〜図５は、比較例に係るプロジェクタ１０００ａの作用を説明するために示す図である。
図３（ａ）はプロジェクタ１０００ａにおける要部を示す図であり、図３（ｂ）は第１レンズアレイ１２０ａ上での照明光束の面内照度分布を示す図である。
図４（ａ）は比較例に係るプロジェクタ１０００ａの場合における画像形成領域Ｓ上の面内照度分布を示す図であり、図４（ｂ）は画像形成領域Ｓ上の面内照度分布をグラフ化して示す図である。
図５（ａ）は比較例に係るプロジェクタ１０００ａの場合におけるスクリーンＳＣＲ上の面内照度分布を模式的に示す図であり、図５（ｂ）はスクリーンＳＣＲ上の面内照度分布をグラフ化して示す図である。
【００５６】
図６〜図８は、実施形態１に係るプロジェクタ１０００の作用を説明するために示す図である。
図６（ａ）はプロジェクタ１０００における要部を示す図であり、図６（ｂ）は第１レンズアレイ１２０上での照明光束の面内照度分布を示す図である。
図７（ａ）は実施形態１に係るプロジェクタ１０００の場合における画像形成領域Ｓ上の面内照度分布を示す図であり、図７（ｂ）は画像形成領域Ｓ上の面内照度分布をグラフ化して示す図である。
図８（ａ）は実施形態１に係るプロジェクタ１０００の場合におけるスクリーンＳＣＲ上の面内照度分布を模式的に示す図であり、図８（ｂ）はスクリーンＳＣＲ上の面内照度分布をグラフ化して示す図である。
【００５７】
比較例に係るプロジェクタ１０００ａは、基本的には実施形態１に係るプロジェクタ１０００とよく似た構成を有しているが、実施形態１に係るプロジェクタ１０００とは第１レンズアレイの構成が異なっている。すなわち、比較例に係るプロジェクタ１０００ａにおいては、第１レンズアレイ１２０ａは、図３に示すように、横方向（ｘ軸方向）に沿って４列に配列されている。なお、比較例に係るプロジェクタ１０００ａは、第１レンズアレイの構成以外の点では、実施形態１に係るプロジェクタ１０００と同様の構成を有している。
【００５８】
比較例に係るプロジェクタ１０００ａにおいては、図３（ａ）に示すように、発光管１１２から放射されて楕円面リフレクタ１１４で反射される光の一部が発光管１１２自身（管球部又は封止部）によって遮られてしまうことがある。この場合には、図３（ｂ）に示すように、第１レンズアレイ１２０ａ上における照明光束の中央部分に発光管の影が発生してしまい、この発光管の影は、ｘ軸方向について見たときに第１小レンズ１２２ａ間に跨って発生することとなる。このため、第１レンズアレイ１２０ａの中央部分に形成された第１小レンズ１２２ａについて見ると、第１小レンズ１２２ａのｘ軸方向の片側端部のみに影がかかってしまうため、第１レンズアレイ１２０ａ、第２レンズアレイ１３０及び重畳レンズ１５０（ともに図示せず。）を有する光均一化光学系をもってしても、液晶装置４００Ｒ，４００Ｇ，４００Ｂの画像形成領域Ｓ上における面内照度分布を完全に均一化することは容易ではない。その結果、図４に示すように、画像形成領域Ｓ上に照度差（ｘ軸方向両端部における照度がｘ軸方向中央部における照度よりも低くなる。）が発生してしまい、図５に示すように、スクリーンＳＣＲ上で均一な面内表示特性を得ることは容易ではない。
【００５９】
これに対し、実施形態１に係るプロジェクタ１０００によれば、図１（ｃ）及び図６に示すように、第１レンズアレイ１２０における複数の第１小レンズ１２２は、横方向（ｘ軸方向）に沿って３列に配列されているため、上記した発光管の影は、図６（ｂ）に示すように、横方向（ｘ軸方向）について見たときに第１レンズアレイ１２０の中央部分に形成された第１小レンズ１２２に発生することとなる。このため、第１レンズアレイ１２０の中央部分に形成された第１小レンズ１２２について見ると、影がかかってしまう領域を第１小レンズ１２２全体にわたって分布させることが可能となるため、第１小レンズ１２２の片側端部のみが暗くなってしまうことがなくなる。その結果、液晶装置４００Ｒ，４００Ｇ，４００Ｂの画像形成領域Ｓ上における面内照度分布を均一化することが容易となるため、図７に示すように、画像形成領域Ｓ上で発生する照度差の発生を抑制することができるようになり、図８に示すように、スクリーンＳＣＲ上で均一な面内表示特性を得ることが可能となる。
【００６０】
このため、実施形態１に係るプロジェクタ１０００は、優れた動画表示特性を有するとともに、均一な面内表示特性を有するプロジェクタとなる。
【００６１】
また、実施形態１に係るプロジェクタ１０００においては、第１レンズアレイ１２０における複数の第１小レンズ１２２は、横方向（ｘ軸方向）に沿って３列に配列されているため、第１レンズアレイ１２０上に形成される第１小レンズ１２２の個数を少なくすることができる。このため、第１レンズアレイ１２０の製造を容易にすることができる。また、第１レンズアレイ１２０における複数の第１小レンズ１２２が横方向（ｘ軸方向）に沿って３列に配列されているため、第１小レンズ１２２の大きさをある程度以上の大きさにすることができる。このため、第１レンズアレイ１２０における複数の第１小レンズ１２２の縦方向（ｙ軸方向）に沿った辺（短辺）の長さが極端に短くなることがなくなる。その結果、第１レンズアレイ１２０の各第１小レンズ１２２から射出される照明光束が形成する光学像が、対応する第２レンズアレイ１３０の各第２小レンズ１３２（図示せず。）に良好にのみ込まれるようになり、良好な光利用効率が得られるようになる。
【００６２】
さらにまた、実施形態１に係るプロジェクタ１０００においては、第１小レンズ１２２の一方方向に沿った幅は、上記した発光管の影の横方向（ｘ軸方向）に沿った幅と略同一となるように設定されている。このため、影がかかってしまう領域が第１小レンズ１２２全体にわたって分布するようになる。その結果、液晶装置４００Ｒ，４００Ｇ，４００Ｂの画像形成領域Ｓ上で発生する照度差の発生をさらに抑制することができるようになり、スクリーンＳＣＲ上でさらに均一な面内表示特性を得ることが可能となる。
【００６３】
以上、実施形態１に係るプロジェクタ１０００における第１レンズアレイ１２０について詳細に説明したが、実施形態１に係るプロジェクタ１０００においては以下のような特徴も有している。
【００６４】
実施形態１に係るプロジェクタ１０００においては、電気光学変調装置としての上記した３つの液晶装置４００Ｒ，４００Ｇ，４００Ｂと、回転プリズム７７０からの照明光束を赤色光、緑色光及び青色光に分離して各液晶装置４００Ｒ，４００Ｇ，４００Ｂに導くための色分離導光光学系２００と、液晶装置４００Ｒ，４００Ｇ，４００Ｂで変調されたそれぞれの色光を合成するクロスダイクロイックプリズム５００とをさらに備えている。
【００６５】
このため、実施形態１に係るプロジェクタ１０００によれば、優れた動画表示特性を有するとともに、均一な面内表示特性を有するプロジェクタを、画像品質の優れた３板式のフルカラープロジェクタとすることができるようになる。
【００６６】
実施形態１に係るプロジェクタ１０００においては、光源装置１１０は、発光管１１２、発光管１１２からの光を反射する楕円面リフレクタ１１４及び楕円面リフレクタ１１４で反射される光を略平行光にする平行化レンズ１１８を有しているため、放物面リフレクタを用いた光源装置と比較して、よりコンパクトな光源装置を実現することができる。
【００６７】
実施形態１に係るプロジェクタ１０００においては、走査手段として、回転プリズム７７０を備えているため、液晶装置４００Ｒ，４００Ｇ，４００Ｂの画像形成領域Ｓ上において上記した圧縮光束Ｌの円滑なスクロール動作が、容易に実現できるようになる。
【００６８】
また、回転プリズム７７０の光透過面には減反射膜が形成されているため、回転プリズム７７０の光透過率を高めることができ、光利用効率の低下を最小限のものにすることができるとともに、迷光レベルが低減しコントラストが向上する。
【００６９】
実施形態１に係るプロジェクタ１０００においては、照明装置１００は、光源装置１１０からの照明光束を略１種類の直線偏光に揃えて射出する偏光変換素子１４０を有しているため、偏光変換素子１４０の作用により、光源装置１１０からの照明光束を一方の偏光軸を有する略１種類の直線偏光に変換することができるようになるため、実施形態１に係るプロジェクタ１０００のように、電気光学変調装置として液晶装置等のように１種類の直線偏光を利用するタイプの電気光学変調装置を用いる場合に、光源装置１１０からの照明光束を有効に利用することができる。
【００７０】
なお、実施形態１に係るプロジェクタ１０００においては、第１レンズアレイ１２０の複数の第１小レンズ１２２は、一方方向に沿って３列に配列されている構成であったが、本発明はこれに限定されるものではなく、例えば次のような変形例もある。
【００７１】
図９は、実施形態１の変形例に係るプロジェクタ１０００ｂにおける第１レンズアレイ１２０ｂを説明するために示す図である。図９（ａ）は変形例に係るプロジェクタ１０００ｂにおける要部を示す図であり、図９（ｂ）は第１レンズアレイ１２０ｂ上での照明光束の面内照度分布を示す図である。
【００７２】
変形例に係るプロジェクタ１０００ｂは、図９に示すように、第１レンズアレイ１２０ｂの複数の第１小レンズ１２２ｂが横方向（ｘ軸方向）に沿って５列に配列されていることを特徴としている。第１レンズアレイ１２０ｂの第１小レンズ１２２ｂは、図９（ｂ）に示すように、横方向に５列、縦方向に１６行に配置され、実施形態１の第１レンズアレイ１２０の場合と同様に、「長辺：短辺＝４：１の長方形」の平面形状を有している。つまり、図９に示される変形例における第１レンズアレイ１２０ｂの第１小レンズ１２２ｂの数は、実施形態１における第１レンズアレイ１２０の第１小レンズ１２２の数に対して２倍以上である。これにより、変形例に係るプロジェクタ１０００ｂにおいては、実施形態１に係るプロジェクタ１０００と比較して、被照明領域で重畳される部分光束数が２倍以上となる。このように、複数の部分光束の数が充分に多い場合には、複数の部分光束を重畳することによる照明の均一化の効果が向上する。
なお、発光管１１２によってほとんど照度がない部分と所望の照度が得られる部分とが第１小レンズ１２２ｂ内に局在（特にｘ軸方向において）しないように、発光管によってほとんど照度がない部分を第１小レンズアレイ１２０ｂの中央列の幅内にほぼ納まるように配置すればよい。
【００７３】
このように、変形例に係るプロジェクタ１０００ｂは、実施形態１に係るプロジェクタ１０００の場合とは、第１レンズアレイにおける横方向（ｘ軸方向）に沿った配列数が異なっているが、実施形態１に係るプロジェクタ１０００の場合と同様に、優れた動画表示特性を有するとともに、均一な面内表示特性を有するプロジェクタとなる。
【００７４】
〔実施形態２〕
図１０は、実施形態２に係るプロジェクタ１００２を説明するために示す図である。図１０（ａ）はプロジェクタ１００２の光学系を上面から見た図であり、図１０（ｂ）はプロジェクタ１００２の光学系を側面から見た図である。
なお、図１０において、図１と同一の部材については同一の符号を付し、詳細な説明は省略する。
【００７５】
実施形態２に係るプロジェクタ１００２は、基本的には実施形態１に係るプロジェクタ１０００とよく似た構成を有しているが、図１０に示すように、実施形態１に係るプロジェクタ１０００とは、色分離導光光学系の構成が異なっている。
すなわち、実施形態２に係るプロジェクタ１００２においては、色分離導光光学系２０２として、各液晶装置４００Ｒ，４００Ｇ，４００Ｂ上で光照射領域と光非照射領域とがスクロールされる方向をすべて同一の方向とするために、ダブルリレー光学系１９０を用いている。
【００７６】
色分離導光光学系２０２は、図１０（ａ）に示すように、ダイクロイックミラー２６０，２６２と、反射ミラー２６４と、ダブルリレー光学系１９０とを有している。ダブルリレー光学系１９０は、リレーレンズ１９１，１９２，１９４，１９５，１９７と、反射ミラー１９３，１９６と、フィールドレンズ１９８とを有している。また、色分離導光光学系２０２の光路前段には、リレーレンズ７９４が配置されている。
【００７７】
ダイクロイックミラー２６０は、回転プリズム７７０から射出される光のうち赤色光成分を反射するとともに、緑色光成分及び青色光成分を透過させる。ダイクロイックミラー２６０で反射された赤色光成分は、反射ミラー２６４で反射されて、フィールドレンズ１７６Ｒを通過して赤色光用の液晶装置４００Ｒに達する。
ダイクロイックミラー２６０を透過した緑色光成分及び青色光成分のうち緑色光成分は、ダイクロイックミラー２６２によって反射され、フィールドレンズ１７６Ｇを通過して緑色光用の液晶装置４００Ｇに達する。一方、ダイクロイックミラー２６０を透過した青色光成分は、ダイクロイックミラー２６２を透過し、ダブルリレー光学系１９０を通過して青色光用の液晶装置４００Ｂに達する。液晶装置４００Ｒ，４００Ｇ，４００Ｂの各色光の光路前段に設けられたフィールドレンズ１７６Ｒ，１７６Ｇ，１９８は、第２レンズアレイ１３０から射出された各部分光束を、各主光線に対して略平行な光束に変換するために設けられている。
【００７８】
ここで、青色光の光路にダブルリレー光学系１９０が設けられているのは、青色光の光路の長さが、他の色光の光路の長さよりも長いため、光の発散等による光利用効率の低下を防止するとともに、各液晶装置４００Ｒ，４００Ｇ，４００Ｂ上で光照射領域と光非照射領域とがスクロールされる方向をすべて同一の方向とするために設けられている。なお、実施形態２に係るプロジェクタ１００２においては、３つの色光のうち青色光の光路にダブルリレー光学系１９０を用いた構成としたが、赤色光等のその他の色光の光路にこのようなダブルリレー光学系を用いた構成としてもよい。
【００７９】
このように、実施形態２に係るプロジェクタ１００２は、実施形態１に係るプロジェクタ１０００とは、色分離導光光学系の構成が異なるが、実施形態１に係るプロジェクタ１０００の場合と同様に、第１レンズアレイ１２０における複数の第１小レンズ１２２が横方向（ｘ軸方向）に沿って３列に配列されているため、優れた動画表示特性を有するとともに、均一な面内表示特性を有するプロジェクタとなる。
【００８０】
なお、実施形態２に係るプロジェクタ１００２は、色分離導光光学系の構成以外の点では、実施形態１に係るプロジェクタ１０００と同様の構成を有するため、実施形態１に係るプロジェクタ１０００の場合と同様の効果を有する。
【００８１】
〔実施形態３〕
図１１は、実施形態３に係るプロジェクタ１００４を説明するために示す図である。図１１（ａ）はプロジェクタ１００４の光学系を上面から見た図であり、図１１（ｂ）はプロジェクタ１００４の光学系を側面から見た図である。
なお、図１１において、図１と同一の部材については同一の符号を付し、詳細な説明は省略する。
【００８２】
実施形態３に係るプロジェクタ１００４は、基本的には実施形態１に係るプロジェクタ１０００とよく似た構成を有しているが、図１１に示すように、発光管に補助ミラーが設けられている点で、実施形態１に係るプロジェクタ１０００とは異なっている。すなわち、実施形態３に係るプロジェクタ１００４においては、発光管１１２には、発光管１１２から被照明領域側に射出される光を発光管１１２に向けて反射する補助ミラー１１６が設けられている。
【００８３】
補助ミラー１１６は、発光管１１２の管球部の略半分を覆い、楕円面リフレクタ１１４の反射凹面と対向して配置される反射部材であり、発光管１１２の他方の封止部に挿通・固着されている。
このような補助ミラー１１６を用いることにより、発光管１１２から楕円面リフレクタ１１４とは反対側（被照明領域側）に向かって放射される光が、補助ミラー１１６によって楕円面リフレクタ１１４に向けて反射され、さらに楕円面リフレクタ１１４の反射凹面で反射されて第２焦点位置に集束されることとなり、発光管１１２から楕円面リフレクタ１１４に向かって直接放射される光と同様に、楕円面リフレクタ１１４の第２焦点位置に集束させることができる。
【００８４】
このように、実施形態３に係るプロジェクタ１００４は、実施形態１に係るプロジェクタ１０００とは、発光管に補助ミラーが設けられている点が異なるが、実施形態１に係るプロジェクタ１０００の場合と同様に、第１レンズアレイ１２０における複数の第１小レンズ１２２が横方向（ｘ軸方向）に沿って３列に配列されているため、優れた動画表示特性を有するとともに、均一な面内表示特性を有するプロジェクタとなる。
【００８５】
また、実施形態３に係るプロジェクタ１００４によれば、発光管１１２から被照明領域側に放射される光が補助ミラー１１６により発光管１１２に向けて反射されるため、発光管１１２の被照明領域側端部まで覆うような大きさに楕円面リフレクタ１１４の大きさを設定することを必要とせず、楕円面リフレクタの小型化を図ることができ、プロジェクタの小型化を図ることができるという効果がある。
【００８６】
ところで、実施形態３に係るプロジェクタ１００４においては、発光管１１２から放射されて楕円面リフレクタ１１４で反射される光の一部は補助ミラー１１６によっても遮られてしまい、液晶装置４００Ｒ，４００Ｇ，４００Ｂの画像形成領域Ｓ上における面内照度分布を均一化することがさらに容易ではなくなることが考えられる。
【００８７】
しかしながら、実施形態３に係るプロジェクタ１００４によれば、上記したように、第１レンズアレイ１２０における複数の第１小レンズ１２２は、横方向（ｘ軸方向）に沿って３列に配列されているため、画像形成領域Ｓ上における照度差の発生を抑制することができる。このため、発光管１１２に補助ミラー１１６が設けられたプロジェクタにおいても、スクリーンＳＣＲ上で均一な面内表示特性が得られるようになる。
【００８８】
なお、実施形態３に係るプロジェクタ１００４は、発光管に補助ミラーが設けられている点以外の点では、実施形態１に係るプロジェクタ１０００と同様の構成を有するため、実施形態１に係るプロジェクタ１０００の場合と同様の効果を有する。
【００８９】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【００９０】
（１）上記各実施形態のプロジェクタ１０００〜１００４は、走査手段が回転プリズムである場合を例示して説明したが、本発明はこれに限定されるものではない。例えば、走査手段として、重畳レンズを縦方向（ｙ軸方向）に沿って移動させることにより、照明装置からの照明光束を、液晶装置の画像形成領域における縦方向（ｙ軸方向）に沿って走査する走査手段を用いることもできる。
このように構成することにより、液晶装置の画像形成領域上において圧縮光束のスクロール動作を実現するために既存の重畳レンズを利用することができるため、装置の部品点数を削減するとともにプロジェクタの小型化を図ることができる。
【００９１】
（２）上記各実施形態のプロジェクタ１０００〜１００４は、液晶装置として、画像形成領域が「長辺：短辺＝１６：９の長方形」の平面形状を有するワイドビジョン用の液晶装置を用いたが、本発明はこれに限定されるものではなく、例えば、「長辺：短辺＝４：３の長方形」の平面形状を有する液晶装置等を用いることもできる。
【００９２】
（３）上記各実施形態のプロジェクタ１０００〜１００４においては、第１レンズアレイ１２０における第１小レンズ１２２の平面形状として、「長辺：短辺＝４：１の長方形」の平面形状を有するもの用いたが、本発明はこれに限定されるものではなく、例えば、「長辺：短辺＝４：１．５の長方形」の平面形状を有するものや、「長辺：短辺＝１６：４．５の長方形」の平面形状を有するものなども好ましく用いることができる。
【００９３】
（４）上記各実施形態のプロジェクタ１０００〜１００４は、光源装置として、楕円面リフレクタ１１４と、楕円面リフレクタ１１４の第１焦点近傍に発光中心を有する発光管１１２と、平行化レンズ１１８とを有する光源装置１１０を用いたが、本発明はこれに限定されるものではなく、放物面リフレクタと、放物面リフレクタの焦点近傍に発光中心を有する発光管とを有する光源装置をも好ましく用いることができる。
【００９４】
（５）上記各実施形態において、３つの液晶装置４００Ｒ，４００Ｇ，４００Ｂを用いたプロジェクタを例示して説明したが、本発明はこれに限定されるものではなく、１つ、２つ又は４つ以上の液晶装置を用いたプロジェクタにも適用可能である。
【００９５】
（６）上記各実施形態のプロジェクタ１０００〜１００４は、透過型の電気光学変調装置を用いた透過型のプロジェクタであるが、本発明はこれに限定されるものではなく、反射型の電気光学変調装置を用いた反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。
【００９６】
（７）上記各実施形態のプロジェクタ１０００〜１００４は、電気光学変調装置として液晶装置を用いているが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【００９７】
（８）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【００９８】
【図１】実施形態１に係るプロジェクタ１０００を説明するために示す図。
【図２】回転プリズム７７０の回転と液晶装置４００Ｒ，４００Ｇ，４００Ｂ上の照明状態との関係を示す図。
【図３】比較例に係るプロジェクタ１０００ａの作用を説明するために示す図。
【図４】比較例に係るプロジェクタ１０００ａの作用を説明するために示す図。
【図５】比較例に係るプロジェクタ１０００ａの作用を説明するために示す図。
【図６】実施形態１に係るプロジェクタ１０００の作用を説明するために示す図。
【図７】実施形態１に係るプロジェクタ１０００の作用を説明するために示す図。
【図８】実施形態１に係るプロジェクタ１０００の作用を説明するために示す図。
【図９】実施形態１の変形例に係るプロジェクタ１０００ｂにおける第１レンズアレイ１２０ｂを説明するために示す図。
【図１０】実施形態２に係るプロジェクタ１００２を説明するために示す図。
【図１１】実施形態３に係るプロジェクタ１００４を説明するために示す図。
【符号の説明】
【００９９】
１００，１００Ｂ…照明装置、１００ａｘ，１００ａａｘ，１００Ｂａｘ，１００ｂａｘ，…照明光軸、１１０，１１０Ｂ，…光源装置、１１２，…発光管、１１４…楕円面リフレクタ、１１６…補助ミラー、１１８…平行化レンズ、１２０，１２０ａ，１２０ｂ，…第１レンズアレイ、１２２，１２２ａ，１２２ｂ，…第１小レンズ、１３０，…第２レンズアレイ、１４０…偏光変換素子、１５０…重畳レンズ、１７６Ｒ，１７６Ｇ，１９８，２４４，２４６，２４８，７９０，７９２，…フィールドレンズ、１９０…ダブルリレー光学系、１９１，１９２，１９４，１９５，１９７，２４０，２４２，７９４…リレーレンズ、１９３，１９６，２１２，２１６，２１８，２２０，２２２，２６４…反射ミラー、２００，２０２…色分離導光光学系、２１０，２１４，２６０，２６２…ダイクロイックミラー、４００Ｒ，４００Ｇ，４００Ｂ，…液晶装置、５００…クロスダイクロイックプリズム、６００，…投写光学系、７７０…回転プリズム、７７２…回転軸、７８０…遮光部材、７８２…開口部、１０００，１０００ａ，１０００ｂ，１００２，１００４…プロジェクタ、Ｌ…圧縮光束、Ｐ…照明光軸上における第１小レンズの仮想中心点の像、Ｓ…画像形成領域、ＳＣＲ…スクリーン
【図１】
2006308720.tif 000003
【図１０】
2006308720.tif 000004
【図１１】
2006308720.tif 000005
【図２】
2006308720.tif 000006
【図３】
2006308720.tif 000007
【図４】
2006308720.tif 000008
【図５】
2006308720.tif 000009
【図６】
2006308720.tif 000010
【図７】
2006308720.tif 000011
【図８】
2006308720.tif 000012
【図９】
2006308720.tif 000013